Podtech/llm-jp-corpus-v4-ja_patent huggingface dataset:
(57)【要約】【課題】化粧筆では皮膚の状態や使用箇所に応じてコシの強さを変えたいという要求がある。医療分野では医師が皮膚の疾病度を調べるために筆を利用するが、筆穂コシ強度を変えられない為、診察はすべての患者に対して一辺倒となる。書道や絵画用の筆でも筆穂のコシ強度は重要であるが、目的・用途に応じて多数の筆を準備しなければならない。本発明は以上の問題解決法を提供する。【解決手段】主に筆軸と筆穂から成る筆において、筆穂の根元部の口金から穂先に向かって、筆穂の周囲を覆うカバー状の筆穂コシ強度調整具を設ける。口金には複数の目盛りを付けて筆穂コシ強度調整目盛りとする。使用者がその目盛りを頼りに筆穂コシ強度調整具を筆穂方向へスライドさせて、筆穂を覆う深さを自分の好みの位置に調整し、その位置で筆穂コシ強度調整具を固定できる構造としたことを特徴とする筆穂コシ強度調整機能付筆。【選択図】図２
2016179154.tif 000002
【特許請求の範囲】
【請求項１】
主に筆軸と筆穂から成る筆において、筆穂の根元部の口金から穂先に向かって、筆穂の周囲を覆うカバー状の筆穂コシ強度調整具を設け、口金には複数の目盛りを付けて筆穂コシ強度調整目盛りとし、使用者がその目盛りを頼りに筆穂コシ強度調整具を筆穂方向へスライドさせて、筆穂を覆う深さを自分の好みの位置に調整し、その位置で筆穂コシ強度調整具を固定できる構造としたことを特徴とする筆穂コシ強度調整機能付筆である。
【発明の詳細な説明】
【技術分野】
【０００１】  本発明は、主に化粧筆・洗顔筆・毛筆・医療用ブラシなどの筆穂のコシ強度を調節する機能が付いた筆に関するものである。
【背景技術】
【０００２】  先行技術として、市販されている洗顔筆で、カバーをスライドすることで筆穂のコシを強めることができると謳っているものがある（非特許文献参照）。
【先行技術文献】
【０００３】
【非特許文献】
【非特許文献】  ＨＩＴＡＣＨＩビューテイ家電  総合カタログ２０１４−１１Ｒ
【発明の概要】
【発明が解決しようとする課題】
【０００４】  これまで筆穂コシ強度については、どの分野・用途の筆も購入後に使用者が用途に応じて調整することが不可能であった。例えば化粧筆分野では使用者の皮膚の状態や使用箇所に応じてコシの強さを変えたいという要求があり、従来は毛の太さ・長さを変え、材質を化学繊維や各種動物の毛を使い分けることで対応してきた。利用者は筆の選定に迷いながらも購入するが、一度でも使用した後返却は不可能となる。化粧筆は購入時に店頭で自分の顔等に当てて確認することは清潔さの面からも当然不可能である。化粧筆・洗顔筆等の分野ではかなりデリケートな筆穂のコシ強度分類を要求される。
非特許文献に示される先行技術は電動式の洗顔筆でカバーをスライドすることでコシが強められると謳っているものがあるが、強度レベルを段階的に調節・固定する機能はない為、使う場所・用途に応じて好みの強度に調節するには不適である。
医療分野でも医師が患者の皮膚の敏感度を調べるために筆を利用することがあるが、患者の疾病度に応じて筆穂のコシ強度を変えることが出来れば診療に役立つ可能性がある。現在はすべての患者に対して一辺倒の対応しかできない。
書道や絵画用の筆においても筆穂のコシ強度は重要であるが、製品包装では硬い・弱いなどの曖昧な表現しかなく、購入後はそのまま使い続けるしかない。一般に筆は購入後にそのコシ強度を調整する機能はない為、合わない場合は不本意ながらも使い続けなければならない。
本発明は以上の問題を解決するものである。
【課題を解決するための手段】
【０００５】  本発明は、主に筆軸と筆穂から成る筆において、筆穂の根元部の口金から穂先に向かって、筆穂の周囲を覆うカバー状の筆穂コシ強度調整具を設けたものである。口金には複数の目盛りを付けて筆穂コシ強度調整目盛りとする。使用者がその目盛りを頼りに筆穂コシ強度調整具を筆穂方向へスライドさせて、筆穂を覆う深さを自分の好みの位置に調整し、その位置で筆穂コシ強度調整具を固定できる構造とした筆である。
以上を特徴とする筆穂コシ強度調整機能付筆である。
【発明の効果】
【０００６】  この発明により、例えば化粧筆分野では利用者の皮膚の状態や使いたい部位の敏感度に応じてコシの強さを調節したいという要求に対し、これまでは一旦購入するとそのコシ強度に耐えて使い続けるしかなかったが、この発明により購入後に使用者が目盛りに合わせて調節して使うことが出来る。購入時より弱くすることはできないが、強くする方向には何段階にも調節可能である。
水彩画や油絵などの画筆も、従来の硬毛・軟毛・抜群に強い等々の曖昧な表現で包装販売しているが、使用者が調節できることで１本の筆の  用途が広がる。
医療分野でも顔面神経痛などの患者の皮膚の重症度を調べるために筆を利用することがあるが、患者の疾病度に応じて強度を調節して診療することが出来る。書道においても１本の筆でコシ強度を調節できれば用途に応じて、或いは自分の書き心地に応じて単なる感覚に依らず、数値的な目盛りを基準として調節しながら使うことが可能となる。
【図面の簡単な説明】
【０００７】
【図１】本発明において、コシ強度調整具を機能させていない時の状態を示すイメージ図
【図２】本発明において、コシ強度調整具を目盛りを利用して途中まで移動した時の状態を示すイメージ図
【図３】本発明において、コシ強度調整具を調整可能な最大値付近まで移動した時の状態を示すイメージ図
【発明を実施するための形態】
【０００８】  本発明は、主に筆軸（１）と筆穂（３）から成る筆において、筆穂の根元部の口金（２）から穂先に向かって、筆穂（３）の周囲を覆うカバー状の筆穂コシ強度調整具（４）を設けたものである。口金（２）には複数の目盛りを付けて筆穂コシ強度調整目盛り（５）とする。使用者がその目盛りを頼りに筆穂コシ強度調整具（４）を筆穂（３）方向へスライドさせて、筆穂を覆う深さを自分の好みの位置に調整し、その位置で筆穂コシ強度調整具（４）を固定できる構造とした筆である。
以上を特徴とする筆穂コシ強度調整機能付筆である。
【符号の説明】
【０００９】１  筆軸
２  口金
３  筆穂
４  筆穂コシ強度調整具
５  筆穂コシ強度調整目盛り
【図１】
2016179154.tif 000003
【図２】
2016179154.tif 000004
【図３】
2016179154.tif 000005
(57)【要約】【課題】旅行などに持ち運ぶラジコンヘリは、モーターのついたアームを折りたたむだけの形が多い。しかしながら、モーターその他の部品は保護されていないので、そのままラジコンヘリをスーツケース等に入れると壊れる可能性があった。このため、壊れないようにクッション等でラジコンヘリを保護する必要があり、手間がかかった。【解決手段】ラジコンヘリのモーター、アームおよびアンプを上下２枚のほぼ長方形の板の範囲内に９０％以上収納できるようにする。これにより、上下２枚の板がラジコンヘリのモーター、アームおよびアンプを守るので、スーツケース等にそのままラジコンヘリを入れることができて、旅行などでラジコンヘリを持ち運ぶことが極めて簡単になる。【選択図】図１
2016179155.tif 000002
【特許請求の範囲】
【請求項１】
モーター、アームおよびアンプを上下２枚のほぼ長方形の板の範囲内に９０％以上収納したことを特徴とするラジコンヘリ。
【発明の詳細な説明】
【技術分野】
【０００１】  この発明は、旅行などに持ち運ぶラジコンヘリの形状に関する。
【背景技術】
【０００２】  従来の旅行などに持ち運ぶラジコンヘリは、図２に示すように、モーターのついたアームを折りたたむだけの形が多い。
【発明の概要】
【発明が解決しようとする課題】
【０００３】  しかしながら、以上の技術によれば、モーターその他の部品は保護されていないので、そのままラジコンヘリをスーツケース等に入れると壊れる可能性があった。このため、壊れないようにクッション等でラジコンヘリを保護する必要があり、手間がかかった。
そこで、この発明は、モーター、アームおよびアンプを上下２枚のほぼ長方形の板の範囲内に９０％以上収納できるようにして、スーツケース等にそのままラジコンヘリを入れることができることを課題とする。
【課題を解決するための手段】
【０００４】  以上の課題を解決するために、第一発明は、亀が甲羅の中に入って上下の圧力から守られるのと同様に、ラジコンヘリのモーター、アームおよびアンプを上下２枚のほぼ長方形の板の範囲内に９０％以上収納できるようにして、２枚の板が上下の圧力からラジコンヘリの部品を守ることを特徴とするラジコンヘリである。
【発明の効果】
【０００５】  第一発明によれば、上下２枚のほぼ長方形の板がラジコンヘリのモーター、アームおよびアンプを守るので、スーツケース等にそのままラジコンヘリを入れることができる。これにより、旅行などでラジコンヘリを持ち運ぶことが極めて簡単になる。
【図面の簡単な説明】
【０００６】
【図１】この発明の一実施形態を示す斜視図である。
【図２】従来技術を示す斜視図である。
【発明を実施するための形態】
【０００７】  この発明の一実施形態を、図１に示す。
ほぼ長方形の板とは、概ね長方形の形状をしているが、デザインや使いやすさの観点等から一部をカットし、または一部を付け足した板をいう。
上下２枚のほぼ長方形の板はカーボン製で強度がある。そして、例えば家の床と天井を固定する柱のような役割を持つ棒状のアルミスペーサーによって、上下の板は固定されている。
上下２枚の板の間からは、先端にモーターとプロペラが設置された４本のアームが伸びている。このラジコンヘリは、４本のアームを広げた状態でそのまま飛行できる。
そしてラジコンヘリを持ち運ぶときは、モーター、アーム、およびモーター出力をコントロールするアンプを上下２枚のほぼ長方形の板の範囲内に９０％以上収納する。
９０％以上収納することの意味は、ラジコンヘリを飛ばす際に、アームを指でつかんで広げることができるようにするために、長方形の板の一部をカットする可能性があるからである。この場合、１００％収納することにはならない。
この発明は、対象となるラジコンヘリの大きさを問わない。図１は相対的に小さいサイズであるが、これに限らない。この発明は、あらゆるサイズのラジコンヘリを対象とする。
なおこの発明の対象外であるが、ラジコンヘリの飛行制御装置などの他の部品は、一般的にもラジコンヘリの中心部分に設置されて保護されている。このラジコンヘリでも、飛行制御装置などの主要な部品は、上下２枚のほぼ長方形の板の範囲内に設置されている。さらにこのラジコンヘリでは、プロペラも上下２枚の板の範囲内に収納される。したがって、このラジコンヘリのほとんどの部品は、上下２枚の板によって保護される。
【図１】
2016179155.tif 000003
【図２】
2016179155.tif 000004
(57)【要約】【課題】小型卓上日めくりカレンダーの金具加工、又は、プラスチックホルダー加工をなくして、卓上で、立つ機能のある卓上小型日めくりカレンダー・メモ用紙兼用ケース。【解決手段】金具加工や、プラスチックホルダー加工のない、卓上小型日めくりカレンダー、又は天糊をしていないメモ用紙を立つ機能のあるケースに入れて、上にめくる。【選択図】図３
2016179670.tif 000002
【特許請求の範囲】
【請求項１】
卓上小型日めくりカレンダー・メモ用紙兼用ケースの作成において、
（１）卓上で使用する小型の日めくりカレンダー、または、メモ用紙を入れる兼用ケース      を、ポリプロピレン等樹脂系素材の切断加工のしやすい部材を用いて、
（２）前面の上部は、中身を取り出しやすくするために、Ｕ字にカットし、
（３）裏面は、ケースを立たせるために切り込みを入れて、足部分と、ストッパー部分を      作り、
（４）底面は、後方に傾斜をさせたロック式で作り、
（５）ケース上部は、底面と同じく後方に傾斜させ、
（６）（２）〜（５）の要件を満たしたものを、型で抜いて貼り加工を経たケースにし、
（７）小型日めくりカレンダー、又はメモ用紙を入れ、ふたを閉じ、
（８）使用時は、中身を取り出し、ふたをケースの中に入れた後に中身を入れ、
（９）裏面の足部分と、ストッパー部分を折り、足部分にストッパー部分をはめ込み、中      身の小型日めくりカレンダー又はメモ用紙が立ったまま、上に引き出せるところを      特徴とする卓上小型日めくりカレンダー・メモ用紙兼用ケース。
【発明の詳細な説明】
【技術分野】
【０００１】  本発明は、卓上小型日めくりカレンダー・メモ用紙兼用ケースに関するものである。
【背景技術】
【０００２】  従来、小型日めくりカレンダーの多くは、名入れをした台紙に穴をあけ、小型日めくりカレンダーの上部金具部分のつめを、台紙の穴に通して、台紙の裏面で折り曲げて固定をして使用するか、上部の金具部分が付いた小型日めくりカレンダーを、卓上スタンド型の台紙に、壁掛の台紙と同じように上部金具部分のつめを通して固定して使用してきた。
【発明の概要】
【発明が解決しようとする課題】
【０００３】  卓上のスタンド型の台紙の日めくりカレンダーの場合、日めくりをめくる時に、下へ引いて抜き取る作業が、卓上との隙間が狭いためにやりづらい。まや、スタンド型の台紙が場所をとり、卓上のスペースが狭くなってしまう。
【課題を解決するための手段】
【０００４】  本発明は、卓上のスタンド型の小型日めくりカレンダーの金具を外し、この卓上小型日めくりカレンダー・メモ用紙兼用ケースに入れることにより、卓上でスペースを取らず、さらに日めくりを上に引き抜く事で、めくりやすくして、前述の欠点を解決しようとするものである。
【発明の効果】
【０００５】  上述のように、本発明の卓上小型日めくりカレンダー・メモ用紙兼用ケースは、従来の金具の付いた卓上スタンド型小型日めくりカレンダーの代わりになり、金具取り付け加工が不要なために、経済的負担がかなり削減できる。また、インテリア小物としての付加価値も加わり、サイズも、コンパクトなＢ７サイズ内で収まり、小売販売の場合の、売り場面積が小さくてすみ、購入者が持ち帰えるにも便利である。さらに、メモ用紙をケースに入れることにより、通年に販売できる販売促進商品となる。
【図面の簡単な説明】
【０００６】
【図１】正面を斜め上から見た図面である。
【図２】裏面を斜め上から見た図面である。
【図３】卓上小型日めくりカレンダーをセットした図面である。
【図４】メモ用紙をセットした図面である。
【図５】展開した図面である。
【発明を実施するための形態】
【０００７】  卓上小型日めくりカレンダー・メモ用紙兼用ケースは、ケース自体に立つ機能があり、卓上小型日めくりカレンダーケースでも、メモ用紙ケースとしても使える、全体としてスリムで無駄のない卓上小型日めくりカレンダー・メモ用紙兼用ケースである。
【符号の説明】
【０００８】１  足部分表示部分
２  ストッパー部分表示部分
３  前面Ｕ字表示部分
【図１】
2016179670.tif 000003
【図２】
2016179670.tif 000004
【図３】
2016179670.tif 000005
【図４】
2016179670.tif 000006
【図５】
2016179670.tif 000007
(57)【要約】【課題】  パーティなどでケーキにローソクを立てる際に、室内照明や音響機器の操作の度に席を立つ必要があり、照明や音楽を手軽に利用できない状況にある。【解決手段】  スピーカー付きの音楽再生装置とテーブル周辺の部分照明を一体化させたコンパクトな電子機器として手元でコントロールできるようにする。【選択図】図１
2016197514.tif 000002
【特許請求の範囲】
【請求項１】
音楽再生装置及びアンプ、薄型スピーカーにより音楽再生を行うとともに、室内全体の消灯時にケーキなどのローソク点灯時の明るさを調整できる室内の部分照明装置を搭載したポータブル電子機器
【請求項２】
上面を断熱仕様にした平面プレートにするとともに、音楽再生装置及びアンプ、薄型スピーカーと請求項１の照明装置をコンパクトに配置して、上部に載せるケーキなどが高くならないようにした請求項１のポータブル電子機器
【発明の詳細な説明】
【技術分野】
【０００１】
この発明は、ポータブルでの音楽再生及び部分照明を行う電子機器に関する。 
【背景技術】
【０００２】
従来の技術として、音楽鑑賞用の薄型のスピーカーなどが普及している。（特許文献１）
【特許文献１】特開２００９−１１８０２１号公報
【発明の開示】
【発明が解決しようとする課題】
【０００３】
ラジカセ等の電子機器を利用せずに、暗い室内でもスペースをとらずに食卓等で音楽をＢＧＭとして手軽に流せるようにする。
【０００４】
ケーキのローソクに点灯する際に、部屋全体の照明によらず、ケーキ周辺のみの明るさを調整して部分的な照明を手元で操作できるようにする。
【課題を解決するための手段】
【０００５】
以上の課題を解決するために、音楽再生装置及びアンプ、薄型スピーカーと室内の一部分のみの照明（以下「部分照明」という。）を一体化させたポータブル電子機器（以下「デコレーションシステム」という。）を利用できるようにする。
【０００６】
デコレーションシステムは、音楽再生機能と照明装置で構成し、照明装置はローソクをより引き立てるためにローソク点灯前後を点灯中より明るくする。
【０００７】
デコレーションシステムは箱状の機器として、薄型スピーカーや部分照明などを効率的に配置して上部に載せるケーキが高くならないようにする。また、機器の上部は平面プレートとして、プレートが熱くならないように断熱仕様にする。
【発明の効果】
【０００８】
パーティ等において、デコレーションケーキを囲んだ状態で音楽を手軽に再生できるようになり、ポータブル電子機器をケーキの下に配置するので食卓で邪魔にならない。
【０００９】
薄型スピーカー等を効率的に配置することにより電子機器の高さを抑えるため、ケーキのカット等において支障にならない。
【００１０】
ケーキのローソクの点灯及び消灯が容易になるほか、室内全体を暗くして部分照明によるのでパーティの雰囲気を良好なものにすることができる。
【発明を実施するための最良の形態】
【００１１】
図１は、デコレーションシステムの構成及び機能図である。
デコレーションシステムは、音楽再生装置及びローソク利用時の部分照明を備えるシステムとする。
【００１２】
音楽再生は、再生装置とアンプ、薄型スピーカーを備えて、音楽を再生できるようにする。また、ローソク利用時の部分照明は、ローソク点灯前後をローソクの点灯中より明るくしてローソクをより引き立てる。
【００１３】
音楽再生及び照明装置を操作パネルとリモコンの両方で操作できるようにする。
【００１４】
図２は、デコレーションシステムのイメージ図である。システムは、ケーキを上部に載せて利用することを前提とする。薄型スピーカーなどをコンパクトに配置してケーキが高くなりすぎないようにして、ケーキのカット等において支障にならないようにする。
【００１５】
配置図のように部分照明は４カ所で行うが、ローソク点灯時には１カ所のみにすることにより照明が暗くなるようにする。
【００１６】
プレート上部に溶けやすいケーキやアイスクリームなどが置かれるので、プレートが熱くならないようにプレートを断熱仕様にする。
【００１７】
電子機器の側面に機器操作パネルを配置するとともに、薄型スピーカー及び照明等を効率的に配置することによりコンパクトに持ち運べる機器とする。
【産業上の利用可能性】
【００１８】
インテリア・雑貨、レストラン等で産業上の利用可能性がある。 
【図面の簡単な説明】
【００１９】
【図１】この発明における、デコレーションシステムの構成及び機能図である。
【図２】この発明における、デコレーションシステムのイメージ図である。
【図１】
2016197514.tif 000003
【図２】
2016197514.tif 000004
(57)【要約】      （修正有）【課題】汚染した空気をブラウンガスで除染する装置を提供する。【解決手段】セシウムやトリチウムで汚染された空気を軸流ファン１で送風し、出口付近でブラウンガスのバーナー２を取り付け、燃焼して汚染を除去する。【選択図】図１
2016197091.tif 000002
【特許請求の範囲】
【請求項１】
セシウム、トリチウムをブラウンガスで除染する装置。
【請求項２】
ウラン、ジルコニウム、モリブデンなどの原子を含むガス状の球体を捕捉する装置。
【請求項３】
各施設を建屋で囲い、クリーンルームと一般ルームにゾーニングする計画図。
【請求項４】
クリーンルームを正圧、一般ルーム（汚染が含まれているルーム）を負圧にする設計。
【発明の詳細な説明】
【技術分野】
【０００１】本発明は、ブラウンガスによる大気中の汚染物質を取り除く装置である。
この装置は２つのセクションからなる。  １つ目は単純に送風機から出たセシウムやトリチウムを含む汚染大気をブラウンガスで燃焼してプラズマ状態にして安定化する方法である。  ２つ目のセクションはウラン、ジルコニウム、モリブデンなどの原子を均一に含む合金のガス状の球体が含まれている汚染大気を処理するウォーターブースである。
使用に際しては、１つ目の汚染物質除染装置を単独で運転する場合もある。  ほとんどはこれになるが、ウラン、ジルコニウム、モリブデンなどの原子状のガスがある場合は、１つ目の汚染物質除染装置を経由後、ウォーターブースに大気をぶつけて水で洗い落とす。  これらの汚染物質を水中に閉じ込め、その後ブラウンガスかマルチアークでプラズマ化して処理をする。  安定化するまで繰り返す。
したがって、本発明は汚染物質除染装置とウォーターブースの２つの装置である。
【背景技術】
【０００２】ブラウンガスやアーク・プラズマでセシウム５５Ｃｓ１３７をバリウム５６Ｃｓ１３７に変換する過程を記すと、
２Ｈ２Ｏを電気分解（エネルギーα）→２Ｈ２＋Ｏ２
→２（ＨｅＨ）２＋Ｏ２→（燃焼）２Ｈ２Ｏ＋（放出エネルギーβ）＋Ｈｅ
→２（ＨｅＨ）２Ｏ→２（Ｈｅ＋電子ｅ−＋Ｈ＋）２Ｏ
→２Ｈｅ２＋２ｅ２−＋２Ｈ２＋＋Ｏ２→セシウム５５Ｃｓ１３７
→２Ｈ２Ｏ＋２Ｈｅ２＋セシウム５６Ｃｓ１３７＋（放出エネルギーβ）
（セシウム５５Ｃｓ１３７がバリウム５６Ｃｓ１３７に変換する）
また、大気中のトリチウムも除去できる。
３Ｔ（トリチウム）＋２Ｄ（重水素）＋ブラウンガス２Ｈ２Ｏ
→２Ｈ２Ｏ＋４Ｈｅ＋陽子ｎ
→２Ｈ２Ｏ＋２Ｈ２＋陽子ｎ＋エネルギー
（トリチウムがなくなっている。）
さらに、ウラン、ジルコニウム、モリブデンなどは水中に入れたので東芝のアルプスや珪藻土で取り除けばよい。
【先行技術文献】
【特許文献】
【０００３】現在は申請されていない。  現在稼働しているのがアルプスであるが故障が多いのと、トリチウムを除去できない。
【発明の概要】
【発明が解決しようとする課題】
【０００４】大気中に拡散された放射能汚染防止（特にセシウムやトリチウム）及び汚染物質集積場からの飛散防止のために解決しようと開発した。
【課題を解決するための手段】
【０００５】建屋内にクリーンルームと一般ルームにゾーニングして、クリーンルームは放射能等の許容範囲内にする。  また、一般ルームは汚染物質除染装置やウォーターブースを組み合わせて汚染物質を除去する。  放射能の許容値以下になれば、クリーンルームや外部に放出する。
汚染物質除染装置は
（イ）ペリメーターゾーンに建物の大きさや汚染の発生状態を考えて台数をきめて配置する。
（ロ）送風機は軸流ファンやシロッコファンなどいろいろあるが、ここでは軸流ファンを使ってみる。  要は汚染された空気をブラウンガスの燃焼で汚染を取り除こうとするものである。
インナーゾーンに汚染物質除染装置とウォーターブースを設置する。
（ハ）ウォーターブースは水の幕を作って後ろ側に鋼板を設置して、空気を強く吹き付けられても水の幕が乱れることなく、空気を叩き落とせる位に水量を増やしておく。ウォーターブースの下部は水槽になっていて、ポンプで循環させる。  汚染度が大きくなるとアルプスに送る。
（ニ）上記の繰り返しで空気の浄化を図る。
【発明の効果】
【０００６】（イ）汚染物質集積場所に建屋を作ることで汚染度のひどい大気と生活空間の大気をゾーニングすることができる。
（ロ）建屋間の通路も安心して移動できる。
（ハ）放射能遮蔽に金粉の塗布が良いが効果であるので、重要場所には建屋や機器にもまた汚染物質除染装置にも塗布しておく。
（ニ）他地域に飛散しないように、一般ルームは負圧にしておく。
（ホ）クリーンルームは正圧にする。
（ヘ）一般ルーム以外は安心して作業ができる。（生活ができる。）
【図面の簡単な説明】
【０００７】
【図１】  汚染物質除染装置の姿図
【図２】  ウォーターブースの姿図
【図３】  汚染物質除染装置とウォーターブースの組合せ姿図
【発明を実施するための形態】
【０００８】（汚染物質除染装置）
（イ）軸流ファン（１）の出口付近にブラウンガスのバーナー（２）を数台配置する。種火を消すことのないように水素・酸素の点火用装置も用意しておく。これらの位置から最低１，０００ｍ／ｍは外側に出す。
（ロ）取り付け架台（３）は頑丈に躯体に取り付ける。
（ハ）電気関係は水分があるので、電気規定に合うようにする。
三相２００Ｖのモーター（４）
（防水、防滴使用、ＥＬＢのブレイカー使用（別途）。）
（ウォーターブース）
（ニ）水槽（５）に水中ポンプ（６）を入れ上部の水溝（７）に水を上げる。  溢れた水が鋼板の壁面（８）を落ちる。
（ホ）壁面に軸流ファンからの汚染風を吹き付ける。
（ヘ）風が水の幕で下へ（水中へ）導かれる。
（ト）水槽からアルプスへ汚染水を送り、ウラン、ジルコニウム、モリブデン等を取り除く。
【本発明を使用するときは以下の手順で行う】
【００１０】各施設の建屋の一般ルームは常時運転しておく。  メンテナンスの時は放射能遮蔽衣服を着て行う。
クリーンルームにも汚染物質除染装置を取り付けておく。
もし、規定値以上になった時、作動させて規定値以下になるまで運転する。その際は部屋から逃げておく。
中央監視室はクリーンルームであるが、近隣に汚染物質集積場やアーク・プラズマごみ焼却炉があるので、ここにも数台設置する。
普段はここで、遠隔操作と監視を行う。
【符号の説明】
【００１１】  １．軸流ファン
２．ブラウンガスのバーナー
３．取り付け架台
４．三相２００Ｖのモーター
５．水槽
６．水中ポンプ
７．水溝
８．鋼板の壁面
【図１】
2016197091.tif 000003
【図２】
2016197091.tif 000004
【図３】
2016197091.tif 000005
(57)【要約】【課題】  食品を特定の形にする方法としては、型抜きという方法があった。型抜きは、最近ではお弁当のおかずを作るときにも使用されるが、食材を薄くしなければならず、ゆで卵や卵焼きに使用するのは難しかった。【解決手段】  複数の棒（１）と、その棒と同じ数の穴（３）を中心から均等に配置した板（２）によって、卵を外側から圧迫し、卵そのものの形を変形させることを特徴とする花形卵形成器。【選択図】図２
2016059377.tif 000002
【特許請求の範囲】
【請求項１】
複数の棒（１）と、その棒と同じ数の穴（３）を中心から均等に配置した板（２）によって、卵を外側から圧迫し、卵そのものの形を変形させることを特徴とする花形卵形成器。
【発明の詳細な説明】
【技術分野】
【０００１】    本発明は、ゆで卵や卵焼きを花形に形成する道具に関するものである。
【背景技術】
【０００２】  従来、食品を特定の形にする方法としては、型抜きという方法があった。型抜きはクッキーを作るときに使用されてきたものだが、最近ではお弁当のおかずを作るときにも使用される。しかし、型抜きを利用するには食材を薄くしなければならず、ゆで卵や卵焼きに使用するのは難しかった。
【発明の概要】
【発明が解決しようとする課題】
【０００３】  解決しようとする問題点は、以下の点である。
（イ）型を抜いたあとの残りの食材が無駄になる。
（ロ）平面的な薄い食材にしか使えないため、ゆで卵や卵焼きには不向き。
（ハ）形と大きさは全て同じになる。
本発明はこれらの問題点を解決するためになされたものである。
【課題を解決するための手段】
【０００４】  本発明は、複数の棒（１）と、その棒と同じ数の穴（３）を中心から均等に配置した板（２）によって、卵を外側から圧迫し、卵そのものの形を変形させることを主要な特徴とする。
【発明の効果】
【０００５】（イ）食材そのものの形を変えるので無駄がでない。
（ロ）ゆで卵や卵焼きのような立体的な食材にも使える。
（ハ）同じ大きさの食品を使用しても、棒を入れる穴の位置を変えることで異なる形を作ることができる。また、大きさは色々な大きさに対応できる。
【図面の簡単な説明】
【０００６】
【図１】本発明の平面図である。
【図２】本説明の立体図である。（実施例）
【発明を実施するための形態】
【０００７】  以下、本発明の実施の形態を図１〜２に基づいて説明する。
【０００８】  本発明は複数の棒（１）と２枚の板（２）とで構成される。板（２）の形態は正多角形とするが、その限りではない。板（２）には棒（１）と同じ数の穴（３）を設ける。穴（３）の位置は中心から等距離の同心円上に設定され、穴（３）と穴（３）との距離も等しく設定する。棒（１）の数と板（２）に設置される穴（３）の数については限定されない。なお、板（２）には様々な大きさに対応できるように、中心からの距離を変えた場所にも穴（３）を設定している。
【実施例】
【０００９】  図２は、本発明の実施例であって、１、２は、図１と同様である。このように本発明を組み立てて、棒（１）によりゆで卵に圧力をかける。
【符号の説明】
【００１０】  １  棒
２  板
３  穴
【図１】
2016059377.tif 000003
【図２】
2016059377.tif 000004
(57)【要約】      （修正有）【課題】器具を介さずにケーキ、かぶらずし及び大根ずしを食べられるようにする。【解決手段】ケーキ、かぶらずし及び大根ずしを麩１で包むまたは挟む。ケーキ生地２とクリーム、チョコレート及び餡３を組み合わせたもの、を麩１で包む又は挟む調理加工方法。かぶらずし、大根ずしを麩１で包むまたは挟む調理加工方法。大根ずしを、大根の葉で包みまたは挟み、更に麩１で包む又は挟む調理加工方法。【選択図】図２
2016059376.tif 000002
【特許請求の範囲】
【請求項１】
ケーキ生地を麩で包むまたは挟む調理加工方法。
【請求項２】
ケーキ生地とクリーム、チョコレート及び餡を組み合わせたもの、を麩で包むまたは挟む調理加工方法。
【請求項３】
かぶらずし、大根ずしを麩で包むまたは挟む調理加工方法。
【請求項４】
かぶらずしを、かぶらの葉で包みまたは挟み、さらに麩で包むまたは挟む調理加工方法。
【請求項５】
大根ずしを、大根の葉で包みまたは挟み、さらに麩で包むまたは挟む調理加工方法。
【発明の詳細な説明】
【技術分野】
【０００１】  本発明は、麩で包むまたは挟むことにより、フォークや箸等の器具を使わずにケーキ、かぶらずし及び大根ずしを食用に供するための調理加工方法に関するものである。
【背景技術】
【０００２】  ケーキ、かぶらずし及び大根ずしを食べるためには、フォーク、箸、紙、セロハン等の器具が必要である。
【先行技術文献】
【特許文献】
【０００３】  出願者が調査により知りえたものはありませんでした。
【非特許文献】
【０００４】  出願者が調査により知りえたものはありませんでした。
【発明の概要】
【発明が解決しようとする課題】
【０００５】  器具を介さずにケーキ、かぶらずし及び大根ずしを食べられるようにする。
【課題を解決するための手段】
【０００６】  ケーキ、かぶらずし及び大根ずしを麩で包むまたは挟む。
【発明の効果】
【０００７】  器具を必要とすることなく、生活の各場面でケーキ、かぶらずし及び大根ずしを食用に供することができる。
【図面の簡単な説明】
【０００８】
【図１】  ケーキ生地を麩で包むまたは挟む調理加工方法の実施形態を示す断面図
【図２】  ケーキ生地と、クリーム、チョコレート及び餡のうち一つ以上とを上下内外に組み合わせたもの、を麩で包むまたは挟む調理加工方法の実施形態を示す断面図
【図３】  かぶらずし、大根ずしを麩で包むまたは挟む調理加工方法を示す断面図
【図４】  かぶらずしを、かぶらの葉、麩の順に包むまたは挟む調理加工方法を示す断面図
【図５】  大根ずしを、大根の葉、麩の順に包むまたは挟む調理加工方法を示す断面図
【発明を実施するための形態】
【０００９】  以下、本発明を実施するための形態を図１〜図５に基づき説明する。
【実施例】
【００１０】  図１では、ケーキ生地を麩で包む場合と、ケーキ生地を麩で挟む場合を示している。【００１１】  図２では、ケーキ生地と、クリーム、チョコレート及び餡のうち一つ以上とを上下内外に組み合わせたもの、を麩で包む場合を示している。【００１２】  図３では、かぶらずし、大根ずしを麩で包むまたは挟む場合を示している。【００１３】  図４では、かぶらずしを、かぶらの葉、麩の順に包むまたは挟む場合を示している。【００１４】  図５では、大根ずしを、大根の葉、麩の順に包むまたは挟む場合を示している。
【産業上の利用可能性】
【００１５】  ケーキ、かぶらずし及び大根ずしの販売拡大をもたらす。
【符号の説明】
【００１６】  ａｂは、ケーキ生地を麸で包んだ場合の切断線。
ｃｄは、ケーキ生地と、クリーム、チョコレート及び餡のうち一つ以上とを上下内外に組み合わせたもの、を麩で包むまたは挟んだ場合の切断線。
ｅｆは、かぶらずしまたは大根ずしを麸で包んだ場合の切断線。
ｇｈは、かぶらずしをかぶらの葉、麩の順に包むまたは挟む場合の切断線。
ｉｊは、大根ずしを大根の葉、麩の順に包むまたは挟む場合の切断線。
１は、麸。包むだけでなく、下記２から８の素材を挟む形状もある。
２は、ケーキ生地。組み合わせにより、下記３の素材との位置関係は上下内外に変わる。
３は、クリーム、チョコレート及び餡のいずれか、またはそれぞれを組み合わせたもの。組み合わせにより、上記２の素材との位置関係は上下内外に変わる。
４は、かぶらずし、または大根ずし。
５は、かぶらずし。
６は、かぶらの葉。
７は、大根ずし。
８は、大根の葉。
【図１】
2016059376.tif 000003
【図２】
2016059376.tif 000004
【図３】
2016059376.tif 000005
【図４】
2016059376.tif 000006
【図５】
2016059376.tif 000007
(57)【要約】【課題】  巻き寿司制作において従来は海苔が寿司めしに接触し、食べるときには海苔が寿司めしの水分を吸って風味が損なわれ乾燥した歯ごたえのある食感を保つことができなかった。厚さの薄い海苔だけをあらかじめフィルムで巻いておくことも家庭では難しかった。【解決手段】  両端が閉塞され中央部が切り空けられた中空の円筒状の入れ物である寿司作り型１とその寿司作り型１の切り空けられた一つの辺に一端が接合された帯状の柔軟材である内巻き手段２と切り空けられた他方の辺に一端が接合された帯状の柔軟材である外巻き手段３を備えてなる巻き寿司作り型。【選択図】図１
2016059373.tif 000002
【特許請求の範囲】
【請求項１】
両端が閉塞され中央部が切り空けられた中空の円筒状の入れ物である寿司作り型とその寿司作り型の切り空けられた一つの辺に一端が接合された帯状の柔軟材である内巻き手段と切り空けられた他方の辺に一端が接合された帯状の柔軟材である外巻き手段を備えてなる巻き寿司作り型。
【発明の詳細な説明】
【技術分野】
【０００１】  本発明は、巻き寿司を製造する道具に関するものである。
【背景技術】
【０００２】  従来の巻き寿司を製造する道具は「巻きす」という細い竹の串を糸で繋げて自在に曲がるようにしたものが使われる。その上に海苔、寿司めし、具財を重ねて載せ、手で一方向に巻いて圧迫し巻き寿司を製造することがほとんどであった。この道具は古くから用いられているものである。【０００３】  この方法ではあらかじめ海苔を寿司めしに巻いてしまうので時間がたつと海苔が寿司めしの水分を吸ってやわらかく湿ってしまい、海苔の風味と乾燥してあるときの食感が損なわれてしまっていた。それを防ぐためにあらかじめ海苔だけ別にフィルムで包装しておき、食べる直前に海苔を巻く特許公開２００５−１３０７１７のような方法も考案されている。しかしあらかじめ厚さの薄い海苔をフィルムで包装することは家庭では難しく、市販のものを購入する事例がほとんどであった。また食べる直前にて寿司全体を製造する特許公開２００７−３３０１３０のような方法を取っていた。
【先行技術文献】
【特許文献】
【０００４】
【特許文献１】特許公開２００５−１３０７１７、特許公開２００７−３３０１３０
【発明の概要】
【発明が解決しようとする課題】
【０００５】  巻き寿司において前もって海苔をまいておくとそれが寿司めしの水分を吸ってやわらかく湿ってしまい、海苔の風味と乾燥したときの食感が損なわれてしまっていた。厚さの薄い海苔だけをあらかじめフィルムで巻いておくのも家庭では難しい。本発明は、これらの問題点を解決するためになされたものである。
【課題を解決するための手段】
【０００６】  両端が閉塞され中央部が切り空けられた中空の円筒状の入れ物である寿司作り型とその寿司作り型の切り空けられた一つの辺に一端が接合された帯状の柔軟材である内巻き手段と切り空けられた他方の辺に一端が接合された帯状の柔軟材である外巻き手段を備えてなる巻き寿司作り型で巻き寿司を製作する。
【発明の効果】
【０００７】  本発明の巻き寿司作り型によって製造する巻き寿司は海苔が寿司めしの水分を吸収せず、海苔の風味と乾燥したままの食感が損なわれず、本来の風味と食感を楽しみながら巻き寿司を食べることが出来る。
【図面の簡単な説明】
【０００８】
【図１】本発明の斜視図
【図２】本発明の側面図
【図３】本発明の作動側面図
【図４】本発明の作動側面図
【図４】本発明の斜視図
【図５】本発明の斜視図
【図５】巻き寿司の斜視図
【発明を実施するための形態】
【０００９】  両端が閉塞され中央部が切り空けられた中空の円筒状の入れ物である寿司作り型とその寿司作り型の切り空けられた一つの辺に一端が接合された帯状の柔軟材である内巻き手段と切り空けられた他方の辺に一端が接合された帯状の柔軟材である外巻き手段を備えてなる巻き寿司作り型。
【００１０】  図１は、請求項１記載の巻き寿司作り型を斜め上面から見た斜視図である。寿司作り型１は両端が１ａ部分のように閉鎖され、１ｂ部分は中空になっている円筒形に形成する。その寿司作り型１に対して折り曲げ自在の素材である内巻き手段２を２ａ部分、外巻き手段３を３ａ部分にそれぞれ一端が接続されるように形成する。本発明の巻き寿司作り型は全体がある程度柔軟性のある防水紙やシリコーンで形成するのが望ましい。また寿司めしがくっつかないような素材で形成するのが望ましい。
【００１１】  図２は図１の巻き寿司作り型の側面、透視図である。本発明で寿司を作る過程である。まず海苔Ｎを外巻き手段３の側から寿司作り型１の中空部分１ｂに一端Ｎａを入れる。また１ｂに寿司めしＳをつめる。製作者の好みによって具財Ｇをつめてもよい。
【００１２】  図３は［００１１］で記述した巻き寿司製作の次の段階である。人間の手で内巻き手段２を矢印Ｆ１方向に巻き上げ、Ｆ２方向に押し付けて寿司めしＳに圧力をかける。こうすることで寿司めしＳは圧迫され米粒が相互に硬く接着されることになる。また海苔ＮもＮａ部分で圧迫され寿司めしＳに接合されることとなる。
【００１３】  図４の１は［００１２］で記述した巻き寿司製作の次の段階の側面、透視図である。外巻き手段３を内巻き手段２に巻きつけるように覆いかぶせる。そうすることで海苔Ｎは内巻き手段２と外巻き手段３の間の２，３ａ部分に挟まれることになる。よって海苔ＮのＮａを除いた大部分は寿司めしＳに触れることなくそこからの水分吸収を抑えられ乾燥状態を保てることになる。
【００１４】  図４の２は［００１３］の巻き終わった巻き寿司作り型の状態を保つための一例である。結束バンドＺなどを使い巻いたままの持ち運びも可能にしたものである。そのまま任意の場所に持ち運んで食することが出来る
【００１５】  図５の１は巻き寿司の製作が終了した後、実際に本発明から巻き寿司を取り出して食する例である。硬く接着された寿司めしＳを外まき手段３、内巻き手段２を外側に開いて寿司作り型１から取り出す。このとき海苔Ｎは寿司めしＳに接着されたＮａ部分に伴って取り出されることとなる。そのまま図５の２のように人の手で海苔Ｎを寿司めしＳに矢印Ｆ３のように巻いて食する。［００１３］記載のように海苔Ｎは寿司めしとの直接の接触を避け乾燥を続けている。香りなどの風味もよく、また湿っていないため歯切れのよい食感も楽しめる。
【符号の説明】
【００１６】  １  寿司作り型
２  内巻き手段
３  外巻き手段
Ｎ  海苔
Ｓ  寿司めし
Ｆ  動作、圧力の方向
Ｇ  具財
Ｚ  結束バンド
【図１】
2016059373.tif 000003
【図２】
2016059373.tif 000004
【図３】
2016059373.tif 000005
【図４】
2016059373.tif 000006
【図５】
2016059373.tif 000007
(57)【要約】【課題】しわを無くすこと。【解決手段】顔の着目部へ冷熱発生装置の熱部を当接させた後、次にこの該当部分に冷部を当接させる。【選択図】    図３
2016059390.tif 000002
【特許請求の範囲】
【請求項１】
顔の着目部へ冷熱発生装置の熱部を当接させた後、次にこの該当部分に冷部を当接させることを特徴とする化粧具。
【発明の詳細な説明】
【技術分野】
【０００１】
本発明は顔のしわ等をのばすことができるようにした化粧具に関する。
【背景技術】
【０００２】
女性の化粧の目的は自分を美しく見せることである。このため、世の中には幾多の化粧品が売られている。また、化粧品に加えて、顔の所定の部分に外的処理を加えて顔を潤いのある状態に変える化粧道具も発売されている（例えば特許文献１参照）。
図１は顔の部分の説明図である。１は目じりにできたしわ、２は瞳、５は眉毛、６はまつ毛である。
【先行技術文献】
【特許文献】
【０００３】
特開２００４−３２９６２８号公報
【発明の概要】
【発明が解決しようとする課題】
【０００４】
従来の化粧具は使用するにあたって取り扱いが面倒であった。本発明はこのような課題に鑑みてなされたものであって、特に顔のしわのばしに良好な効果がある化粧具を提供することを目的としている。
【課題を解決するための手段】
【０００５】
前記した課題を解決する本発明は、顔の着目部へ冷熱発生装置の熱部を当接させた後、次にこの該当部分に冷部を当接させることを特徴とする。
【発明の効果】
【０００６】
本発明によれば、冷熱発生装置を用いて、先ず熱部で顔の該当領域にあてて、皮膚を柔らかくし、後にその該当領域に冷部をあてることで、しわをのばすことができる。本発明によれば、簡単な操作で顔のしわをのばすことができる。
【図面の簡単な説明】
【０００７】
【図１】しわ部の説明図
【図２】顔の該当領域に冷熱発生装置の熱部を当てた状態を示す図
【図３】顔の該当領域に冷熱発生装置の冷部を当てた状態を示す図
【図４】冷熱発生装置の構成例を示す図
【図５】冷熱発生装置に保護材を取り付けた状態を示す図
【発明を実施するための形態】
【０００８】
以下、図面を参照して本発明の実施例を詳細に説明する。図２は顔の該当領域に冷熱発生装置の熱部を当てた状態を示す図である。図１と同一のものは、同一の符号を付して示す。この図は、目じりのしわ１の上部に冷熱発生装置の熱部を当てた後の様子を示している。３が熱部を当てたことにより、ふやけて柔らかくなった部分を示している。
【０００９】
次に、冷熱発生装置の熱部をしわ１の上に当てる。この結果、しわ１の部分も柔らかくなる。次に、このようにして柔らかくなった部分に冷熱発生装置の冷部を当てる。図３は顔の該当領域に冷熱発生装置４の冷部を当てた状態を示す図である。図の１０がしわを無くす領域である。
【００１０】
本発明のように、ふやけて柔らかくなった部分に冷熱発生装置から冷部を当てることにより、柔らかくなった部分が冷やされて引き締まる。この結果、しわをのばすことができる。本発明によれば、しわをのばす領域に先ず熱部を当てて、次にこの領域に冷部を当てるだけで、しわをのばすことができる。操作も簡単である。
【００１１】
次に、冷熱発生装置について説明する。図４は冷熱発生装置の具体的な構成例を示す図である。図において、４が冷熱発生装置である。該冷熱発生装置において、１１はペルチエ素子、１２はペルチエ素子１１と当接された放熱用のフィンである。１３はペルチエ素子１１に風を送るファンである。１４はフィン１２と当接された金属体である。該金属体１４としては、例えばアルミニュウムや銅が用いられる。
【００１２】
この図では、ペルチエ素子１１より右側が冷部、左側が熱部である。左側の熱部を皮膚に当てることにより、皮膚を図の３に示すように柔らかくすることができる。そして、金属体１４が冷部を構成している。この装置は超小型の冷暖房装置であり、本発明者が特許出願しているものである（特願２０１１−２０１１号）。実施例では、この冷熱発生装置の寸法は３センチ×３センチ×４センチである。前記した図３のしわの部分を冷やす時には、金属体１４を皮膚に押し当てるようにする。
【００１３】
図５は冷熱発生装置に保護材を取り付けた状態を示す図である。図４と同一のものは、同一の符号を付して示す。図において、２０は冷暖房装置４の周囲を取り巻いた保護材である。保護材２０としては、例えば発砲スチロールやその他の材料を用いることができる。
【００１４】
該保護材２０は冷暖房装置４を直接手にもつのではなく、保護材２０を掴んで操作するので、冷暖房装置４を傷つけないようにすることができる。また、汚れることもなくなる。なお、図の奥行方向に前述した金属体１４が取り付けられている。手前は温風を吐き出す吐き出し口であり、人体の顔の特定箇所に温風を当てて、柔らかくすることができる。
【００１５】
前述の実施例では、冷熱発生装置としてペルチエ素子を用いた場合を例にとったが、本発明はこれに限るものではなく、携帯用の熱と冷却を発生させることができるものであれば何であってもよい。この場合の装置も本発明に含まれる。
【産業上の利用可能性】
【００１６】
本願発明は、主に顔のしわのひきのばしをする場合に利用できるだけではなく、人体の体の特定部分のしわをのばすことが必要な場合にも同様に適用することができる。
【符号の説明】
【００１７】
１    しわ
２    瞳
３    熱を加えたことにより、ふやけた皮膚を示す図
４    冷熱発生装置
５    眉毛
６    まつ毛
１０  しわを無くす領域
１１  ペルチエ素子
１２  フィン
１３  ファン
２０  保護材
【図１】
2016059390.tif 000003
【図２】
2016059390.tif 000004
【図３】
2016059390.tif 000005
【図４】
2016059390.tif 000006
【図５】
2016059390.tif 000007
(57)【要約】【課題】２つ以上のペンダントトップを合わせて表裏回転次第で両面使えるペンダントトップを提供する。【解決手段】両面使えるペンダントトップを特徴とする。【選択図】図２
2016059775.tif 000002
【特許請求の範囲】
【請求項１】
ペンダントトップの１部（４）に１点以上ずれ防止を設ける。上部に回転可能な取り外し器具（３）を設けた、両面使えるペンダントトップ。
【発明の詳細な説明】
【技術分野】
【０００１】この発明は、２つ以上のペンダントトップを合わせることによって両面つかえるペンダントトップに関するものである。
【背景技術】
【０００２】従来１つのペンダントトップを付けて裏向きにならないようになっていた。
【先行技術文献】
【特許文献】
【０００３】
【特許文献】
【発明の概要】
【発明が解決しようとする課題】
【０００４】これはつぎのような欠点があった。
イ）従来ペンダントトップは片面だけ使用していた。
ロ）２つ以上付けようとすれば、重なったり、ずれたりする。
本発明は、以上のような欠点を無くするためになされたものである。
【課題を解決するための手段】
【０００５】本体（４）の１部にずれ防止、とめ具、（１）（２）を設け、上部に取り外し可能な（３）回転する器具を付ける。
本発明は以上の構成によりなるペンダントトップである。
【発明の効果】
【０００６】イ）  １個使用時は従来品と変わらないが、１個以上使用でペンダントトップが表裏一体となるので、どちら向きでも使用できる。
ロ）  恋人のイニシャル、夫婦のイニシャル、形の違う物品でも使用でき、婚約・結婚ペンダントとしても使用できる。
ハ）  形が異なる物どうしを付けた場合、外に出た部分がまた模様になって新しさがある。
ニ）  鞄、携帯、紐類が付けられるところならどこでも付けられる。
【図面の簡単な説明】
【０００７】
【図１】本発明の表斜視図である。
【図２】本発明の裏斜視図である。
【発明実施するための形態】
【０００８】以下、本発明を実施するための形態について説明する。
本体（４）の一端（３）に取り外し可能な回転器具を設ける。本体（４）の一部（１）（２）に、ずれ防止とめ具を設ける。本発明は以上のような構造である。これを使用するときは取り外し可能な（３）を外し、（４）２つを表裏合わせる。（３）を１つはめて使用すればよい。
【符号の説明】
【０００９】１凸ずれ防止、とめ具
２凹ずれ防止、とめ具
３取り外し可能な回転器具
４ペンダントトップ
【図１】
2016059775.tif 000003
【図２】
2016059775.tif 000004